【事件の表示】
　特願２００４−２６３９７５「携帯端末装置」拒絶査定不服審判事件〔平成１７年　２月２４日出願公開、特開２００５−　５０３６６〕について、次のとおり審決する。
【結　論】
　本件審判の請求は、成り立たない。
【理　由】
１．手続の経緯
　本願は、平成１２年３月２９日に出願した特願２０００−９０３６３号の一部を平成１６年９月１０日に新たな特許出願としたものであって、平成１７年６月８日付で拒絶査定がなされ、これに対し、平成１７年７月１４日に拒絶査定に対する審判請求がなされ、当審において平成１７年１０月３日付で拒絶理由通知がなされ、平成１７年１２月９日付で手続補正がなされたものである。
　
２．本願発明
　本願の請求項１に係る発明（以下、「本願発明」という。）は、以下のとおりのものである。
「所望の文字または記号を選択、入力することができる携帯端末装置において、物体の接触した位置を検出する接触位置検出手段と、入力候補となる文字または記号で構成される選択対象文字行列を生成する選択対象文字生成手段と、この選択対象文字生成手段で生成された選択対象文字行列を表示する表示手段と、前記選択対象文字行列の中から文字または記号の一つを選択するとともに前記接触位置検出手段で検出された前記接触位置検出手段に前記物体が接触状態を保ったまま移動した位置から算出された前記物体の移動距離と移動方向と移動速度に基づいて、選択される文字または記号を変更する選択位置生成手段と、選択されている選択対象文字を確定し、確定された文字または記号の情報を出力する、前記接触位置検出手段とは別に設けられた選択文字確定手段とを備えた携帯端末装置。」
　　
３．引用例に記載された発明
　当審で通知した拒絶の理由に引用された特開平４−１５６６６１号公報（以下、引用例１という。）には、図面とともに以下の記載がある。
（ア）「２．特許請求の範囲
（１）アルファベット、ひらがな、カタカナ等の入力文字テーブルを記憶するテーブル記憶手段と、
　前記入力文字テーブルの中、所望の入力文字テーブルを選択するテーブル選択手段と、
　選択された前記入力文字テーブルを表示する表示手段と、
　表示された前記入力文字テーブルを構成する文字の中、所望の文字を選択する文字選択手段と、
　選択された前記所望の文字を順次記憶する文字記憶手段と、
　を備えることを特徴とする文字情報入力装置。」（第１頁左下欄第４行−第１７行）
　
（イ）「本実施例では、前記の機能を実現するための手段を有している。そこで、次に、この機能について第３図に示すフローチャートに従い説明する。
先ず、操作者が、デイスプレィ１６に表示された指示に基づき、あるいは、予め設定された所定の選択キー１８を押す。選択キー１８あるいはテンキー２０から所定の入力があると、コントローラ部１４におけるＣＰＵ３８は、ＲＯＭ４３に記憶されたアルファベットの入力文字テーブル５２を読み出し、操作部１２のＣＰＵ３２を介してデイスプレィ１６に、第４図に示す「仮想キーボード画面」５４を表示する（ステップＳｌ）。
　次に、ＣＰＵ３８は、「仮想キーボード画面」５４に表示されている入力文字テーブル５２のテーブル番号Ｎ（例えば、アルファベットの入力文字テーブル５２を「１」、ひらがなの入力文字テーブル５２を「２」、カタカナの入力文字テーブル５２を「３」とする）と、第５図に示すように定義されたカーソル５６の座標（ｘ，ｙ）とをＲＡＭ４２に設定する。この場合、前記ＲＡＭ４２には、テーブル番号Ｎ＝１、カーソル座標（ｘ、ｙ）＝（１，１）が設定される（ステップＳ２）。そして、次の入力待ちの状態となる（ステップＳ３）。
　ここで、操作部１２における所定の選択キー１８およびテンキー２０を操作することで操作者は、所望の入力文字テーブル５２の選択および所望の文字の選択を行うことができる。
　そこで、先ず、第４図において、「仮想キーボード画面」５４の「文字切換」の表示の側部にある選択キー１８を押すと、ＣＰＵ３８は、入力文字テーブル５２の選択指示と判別し（ステップＳ４）、前記選択キー１８を押す回数等に応じて所望の入力文字テーブル５２をＲＯＭ４３より読み出し、「仮想キーボード画面」５４に表示する（ステップＳ５）。また、ＣＰＵ３８は、前記［仮想キーボード画面」５４に表示された入力文字テーブル５２に対応するテーブル番号Ｎを更新する（ステップＳ６）。
　次に、「仮想キーボード画面」５４に所望の入力文字テーブル５２が表示されると、テンキー２０の「２」、「４」、「６」、「８」のキーを用いてカーソル５６を所望の文字に移動させる。」（第４頁左下欄第３行−第５頁左上欄第８行）
　
（ウ）「以上のようにしてカーソル５６が所望の文字に設定されると、操作者は、「仮想キーボード画面」５４の「ＳＥＴ」の文字の側部にある選択キー１８を押す。この場合、選択キー１８からの信号に基づき、ＣＰＵ３８は、ＲＡＭ４２に設定されたテーブル番号Ｎおよびカーソル座標（ｘ，ｙ）に対応する文字をＲＯＭ４３の入力文字テーブルより選択し、ＲＡＭ４２の所定の記憶領域に格納する（ステップＳ１２）。」（第５頁右上欄第１８行−左下欄第６行）
　
（エ）「なお、上記実施例はＩＤＴｌ０に本発明の文字情報入力装置を適用した例について述べたが、他の文字入力を行う装置にも適用できることは勿論である。」（第５頁右下欄第５行−第８行）
　
　また、第４図に示された文字テーブル５２の表示からすると、文字テーブルは、入力候補となる文字または記号で構成される文字行列からなるものであることが理解される。
　
　したがって、引用例１には、「所望の文字または記号を選択、入力することができる文字情報入力装置において、入力候補となる文字または記号で構成される文字行列からなる入力文字テーブルを記憶するテーブル記憶手段と、前記入力文字テーブルの中、所望の入力文字テーブルを選択するテーブル選択手段と、選択された前記入力文字テーブルを表示する表示手段と、前記入力文字テーブルを構成する文字または記号の中から所望の文字または記号の一つを選択するとともにテンキーの操作によるカーソルの位置の移動により、選択される文字または記号を変更する文字選択手段と、選択された前記所望の文字または記号をＲＡＭに格納する選択キーとを備えた文字情報入力装置。」の発明（以下「引用例１発明」という。）が開示されていると認めることができる。
　
　同じく、当審で通知した拒絶の理由に引用された特開平８−１９４６６７号公報（以下、引用例２という。）には、図面とともに以下の記載がある。
（オ）「【０００１】
【産業上の利用分野】本発明は、電子手帳などの携帯用情報処理装置に関する。」（第３頁右欄第１６行−第１８行）
　
（カ）「【００４１】
【実施例】
（実施例１）以下、第１実施例の情報処理装置１０の構成について、図１および図２を用いて詳細に説明する。図１は、本発明の第１実施例である情報処理装置１０の全体のハードウェア構成の一例を示すブロック図である。図１に示すように、情報処理装置１０は、液晶パネル１１、静電容量方式タブレット１２、キー入力部１３、ＣＰＵ１４、ＲＯＭ１５、ＲＡＭ１６および画像メモリ１７を備える。前記各構成要素は、バス１８を介して接続される。」（第８頁右欄第１６行−第２６行）
　
（キ）「【００４５】画像メモリ１７は、情報処理装置１０の処理結果などの表示内容を画像データとして記憶するメモリである。バス１８は、情報処理装置１０の各部の間で相互にデータを転送する際のデータ伝送路である。図２は、本発明の第１実施例である情報処理装置１０の表示制御に関する構成を示すブロック図である。図２に示すように、情報処理装置１０は、背面入力部２１、入力データ処理部２２、キー入力部２５、表示制御部２６、表示画像記憶部２７および表示部２８を備える。入力データ処理部２２は、さらに、座標データ量子化部２３および入力始終点ベクトル算出部２４を備える。また、入力始終点ベクトル算出部２４は座標メモリ３０を備え、表示制御部２６は制御用メモリ２９を備える。上記入力データ処理部２２および表示制御部２６は、ＲＯＭ１５に記憶されている表示制御プログラムをＣＰＵ１４が実行することによって実現される。
【００４６】背面入力部２１は、情報処理装置１０の筐体背面に設けられた、例えば、静電容量方式タブレット１２によって実現される。背面入力部２１は、座標検出面（以下、単に、検出面という。）に接触する指先の位置座標を一定時間間隔で検出し、指先が検出面に接触しながら移動してできた軌跡（以下、単に、入力軌跡という。）を、位置座標系列として座標データ量子化部２３に出力する。この位置座標がとりうる値の範囲は、静電容量方式タブレット１２表面の検出面積と静電容量方式タブレット１２の検出解像度とに依存する。ここでは、例えば、背面入力部２１の検出面を背面から見たときの左上隅を原点とし、右方向にＸ軸、下方向にＹ軸をとるならば、背面入力部２１は、位置座標（Ｘ，Ｙ）として（０，０）から（２４９，１９９）までを出力しうる。
【００４７】入力データ処理部２２は、背面入力部２１が出力する指先の位置座標系列を入力として、入力軌跡の始点座標と終点座標とを量子化された座標値で出力する。座標データ量子化部２３は、背面入力部２１が出力する各位置座標を、Ｘ軸方向およびＹ軸方向につき、所定のレベルに量子化する。ここでは、例えば、Ｘ軸方向に５レベル、Ｙ軸方向に４レベルの量子化を行う。以下、座標データ量子化部２３が行う量子化については、図３および図４を参照して、後に詳述する。
【００４８】入力始終点ベクトル算出部２４は、座標データ量子化部２３からの量子化された座標系列のうち、入力軌跡の始点の位置座標を座標メモリ３０に記憶し、始点の位置座標が入力された後、座標データ量子化部２３から一定時間毎に位置座標が入力される入力軌跡の終点と、座標メモリ３０に位置座標が記憶されている始点とを結ぶ入力始終点ベクトルの位置座標を、以下に説明する方法で算出する。」（第９頁左欄第２行−第４８行）
　
（ク）「【００６０】図７は、本発明の第１実施例である情報処理装置１０において、入力始終点ベクトルに応じて表示カーソルの移動を制御した場合の表示部２８の表示例を示す説明図である。図７（ａ）、図７（ｂ）および図７（ｃ）は、表示部２８の表示の一例を示す説明図である。図７（ｄ）および図７（ｅ）は、背面入力部２１から指先入力される軌跡の一例を情報処理装置１０の前面から透視して示す説明図である。
【００６１】図７では、表示部２８に１９９４年９月のカレンダーが表示されている。背面入力部２１からの入力前には、図７（ｂ）に示す画面が表示されており、１５日の位置にカーソルがあるものとする。図７（ａ）は、表示部２８に図７（ｂ）の画面が表示されているときに、背面入力部２１から図７（ｄ）に示す軌跡が入力された結果、表示部２８に表示される画面を示す。図７（ａ）に示すように、図７（ｂ）の画面が表示されているときに図７（ｄ）に示す軌跡を指先入力することにより、１５日の位置から４日の位置にカーソルが移動する。
【００６２】また、図７（ｃ）は、表示部２８に図７（ｂ）の画面が表示されているときに、背面入力部２１から図７（ｅ）に示す軌跡が入力された結果、表示部２８に表示される画面を示す。図７（ｃ）に示すように、図７（ｂ）の画面が表示されているときに図７（ｅ）に示す軌跡を指先入力することにより、１５日の位置から２４日の位置にカーソルが移動する。」（第１０頁右欄第５行−第３０行）と記載されている。
　
　これらの記載によれば、引用例２には、「指先の接触する位置を検出する静電容量方式タブレットと、日付を表としたカレンダーを表示する表示手段とを備え、カレンダーの日付の中から一つの日付をカーソルで選択するとともに、静電容量方式タブレットに指先が接触しながら移動してできた入力軌跡の始点と終点とを結ぶ入力始終点ベクトルに基づいてカーソルの位置を移動することにより、選択されるカレンダーの日付を変更するようにした情報処理装置。」の発明（以下、「引用例２発明」という。）が開示されているものと認めることができる。
　
４．対比
　そこで、本願発明と引用例１発明とを比較すると、引用例１発明における「入力文字テーブル」及び「文字選択手段」は、それぞれ本願発明の「選択対象文字行列」及び「選択位置生成手段」」に相当する。
　また、引用例１発明の「選択キー」は、選択されている選択対象文字を確定し、確定された文字または記号の情報を出力するために使用されるものであるから、引用例１発明の「選択キー」の機能は、本願発明の「選択文字確定手段」と同等であるので、引用例１発明の「選択された前記所望の文字または記号をＲＡＭに格納する選択キー」は、本願発明の「選択されている選択対象文字を確定し、確定された文字または記号の情報を出力する、前記接触位置検出手段とは別に設けられた選択文字確定手段」に相当するものである。
　
　したがって、両者は
「所望の文字または記号を選択、入力することができる装置において、
選択対象文字行列を表示する表示手段と、
前記選択対象文字行列の中から文字または記号の一つを選択するとともに選択される文字または記号を変更する選択位置生成手段と、
選択されている選択対象文字を確定し、確定された文字または記号の情報を出力する、前記接触位置検出手段とは別に設けられた選択文字確定手段とを備えた装置。」
の点で一致し、以下の点で相違している。
　　
［相違点１］
　本願発明は「携帯端末装置」を対象とするものであるのに対して、引用例１発明は「文字情報入力装置」を対象とするものである点。
　
［相違点２］
　本願発明は、「入力候補となる文字または記号で構成される選択対象文字行列を生成する選択対象文字生成手段と、この選択対象文字生成手段で生された選択対象文字行列を表示する表示手段」を有するのに対して、引用例１発明は、「入力候補となる文字または記号で構成される文字行列からなる入力文字テーブルを記憶するテーブル記憶手段と、前記入力文字テーブルの中、所望の入力文字テーブルを選択するテーブル選択手段と、選択された前記入力文字テーブルを表示する表示手段」を有する点。
　
［相違点３］
　本願発明は「物体の接触した位置を検出する接触位置検出手段」を有するのに対して、引用例１発明は対応する手段を有しておらず、また、「選択位置生成手段」が、本願発明では「前記接触位置検出手段で検出された前記接触位置検出手段に前記物体が接触状態を保ったまま移動した位置から算出された前記物体の移動距離と移動方向と移動速度に基づいて、選択される文字または記号を変更する」ものであるのに対し、引用例１発明では「テンキーの操作によるカーソルの位置の移動により、選択される文字または記号を変更する」ものである点。
　
５．当審の判断
［相違点１］について
　引用例１発明の文字情報入力装置を携帯端末装置の文字等の入力手段に適用して本願発明の様に構成することに格別の困難性は認められない。
　
［相違点２］について
　引用例１発明においては「入力候補となる文字または記号で構成される文字行列からなる入力文字テーブルを記憶するテーブル記憶手段と、前記入力文字テーブルの中、所望の入力文字テーブルを選択するテーブル選択手段」により、表示手段に表示すべき入力文字テーブルを決定しているわけであるから、引用例１発明の「入力候補となる文字または記号で構成される文字行列からなる入力文字テーブルを記憶するテーブル記憶手段と、前記入力文字テーブルの中、所望の入力文字テーブルを選択するテーブル選択手段」は、本願発明の「入力候補となる文字または記号で構成される選択対象文字行列を生成する選択対象文字生成手段」に実質的に相当するものであり、したがって、引用例１発明の「選択された前記入力文字テーブルを表示する表示手段」は、本願発明の「この選択対象文字生成手段で生された選択対象文字行列を表示する表示手段」に相当する。
　したがって、相違点２は実質的な相違ではない。
　
［相違点３］について
　引用例２発明は、日付を表としたカレンダー上でのカーソルの位置の移動のために静電容量方式タブレットを用いるものであり、静電容量方式タブレットに指先が接触しながら移動してできた入力軌跡の始点と終点とを結ぶ入力始終点ベクトルに基づいてカーソルの位置を移動するものである。
　引用例１発明と引用例２発明とは、文字を行列状に配列して表示し、カーソルの位置の移動により文字を選択する点で共通するものであり、引用例２発明を引用例１発明に適用することに阻害要因は認められない。また、引用例２発明の「静電容量方式タブレット」及び「指先」は、本願発明の「接触位置検出手段」及び「物体」に相当するものであり、引用例２発明の「入力始終点ベクトル」は、本願発明の「物体の移動距離と移動方向」と同等のものである。
　また、タブレット等の位置入力装置において、物体の移動速度を考慮してカーソルの移動量を決定することは当業者における周知技術（特開昭６４−２１２７号公報、特開昭６３−２５５７２８号公報、特開平７−４４３２０号公報の【０００５】参照）であるものと認められる。
　したがって、引用例１発明のカーソルの位置の移動のために、引用例２発明と当該周知技術を適用することにより、相違点３に係る構成とすることに格別の困難性は認められない。
　
　そして、本願発明の作用効果も、引用例１及び２発明及び周知技術から当業者が予測できる範囲のものである。
　　
６．むすび
　以上のとおり、本願発明は、引用例１及び２発明及び周知技術に基づいて、当業者が容易に発明をすることができたものであるから、特許法第２９条第２項の規定により特許を受けることができない。
　よって、結論のとおり審決する。